(57)【要約】【課題】ロール軸の先端を上向きに傾斜させて雄ねじ部の軸線をガイドレールの軸線と平行にする。【解決手段】本体フレーム2に固定されるガイドレール17と、ガイドレールに沿って移動可能にガイドレールに係合されたガイド19と、ガイドを介してガイドレール17に支持された保持軸固定部材23と、ロール軸32を有し、保持軸固定部材に取り付けられたロール紙保持部21と、モーターM1とモーターにより回転する雄ねじ部25を保持し、保持軸固定部材に位置調整可能に取り付けられる可動部材27と、雄ねじ部25が嵌る雌ねじ部29を有し、雄ねじ部25の軸L1がガイドレール17と平行となる姿勢で本体フレーム2に固定されるナット部材30と、保持軸固定部材をロール軸32の先端が上方となる傾きに揺動させて、本体フレーム2に対する保持軸固定部材の姿勢を調整する第１調整部45と、可動部材27の保持軸固定部材に対する取付け位置を調節する第２調整部47とを備える。【選択図】図２
2020138814.tif 000002
【特許請求の範囲】
【請求項１】
本体フレームに固定されるガイドレールと、
前記ガイドレールに沿って移動可能に前記ガイドレールに係合されたガイドと、
前記ガイドを介して前記ガイドレールに支持された保持軸固定部材と、
ロール軸を有し、前記保持軸固定部材に取り付けられたロール紙保持部と、
モーターと前記モーターにより回転する雄ねじ部を保持し、前記保持軸固定部材に位置調整可能に取り付けられる可動部材と、
前記雄ねじ部が嵌る雌ねじ部を有し、前記雄ねじ部の軸が前記ガイドレールと平行となる姿勢で前記本体フレームに固定されるナット部材と、
前記保持軸固定部材を前記ロール軸の先端が上方となる傾きに揺動させて、前記本体フレームに対する前記保持軸固定部材の姿勢を調整する第１調整部と、
前記可動部材の前記保持軸固定部材に対する取付け位置を調節する第２調整部と、
を備えることを特徴とするロール紙ステアリング装置。
【請求項２】
請求項１に記載のロール紙ステアリング装置において、
前記第２調整部は、
前記可動部材に形成される被当接部と、
前記保持軸固定部材に設けられる孔に挿入され、前記被当接部に当接することで前記可動部材の前記保持軸固定部材に対する取付け位置を調節する調整用雄ねじと、
を備えることを特徴とするロール紙ステアリング装置。
【請求項３】
請求項１又は２に記載のロール紙ステアリング装置において、
前記第１調整部は、
前記保持軸固定部材に設けられる揺動支点部を備え、
前記揺動支点部を中心として前記保持軸固定部材を揺動させて前記本体フレームに対する前記保持軸固定部材の姿勢を調整する、ことを特徴とするロール紙ステアリング装置。
【請求項４】
ロール軸にセットされたロール紙を搬送部に向けて繰り出す繰出し部と、
搬送部により搬送されるロール紙に液体を吐出して画像を形成する吐出部と、を有し、
前記繰出し部には、前記請求項１から３のいずれか一項に記載されているロール紙ステアリング装置が備えられていることを特徴とする印刷装置。
【請求項５】
請求項１から請求項３のいずれか一項に記載されたロール紙ステアリング装置を、取付け位置と取付け角度を調整した状態で本体フレームに組み付けるロール紙ステアリング装置の組付け方法であって、
前記第１調整部を使用して前記ロール軸の取付け角度を調整した状態で前記ガイドを前記保持軸固定部材に固定する第１調整組付け工程と、
前記第２調整部を使用してステアリングを実行する前記雄ねじ部の軸線と前記ガイドレールの軸線とを平行にした状態で前記可動部材を前記保持軸固定部材に固定する第２調整組付け工程と、を備え、
前記第１調整組付け工程において、前記保持軸固定部材が前記ガイドを介して前記ガイドレールにガイドされた姿勢で前記ガイドを所定の取付け角度で前記保持軸固定部材に固定した後に、前記第２調整組付け工程において前記雄ねじ部を前記ガイドレールと平行になる姿勢に調整して前記可動部材を所定の取付け位置で前記保持軸固定部材に固定するようにしたことを特徴とするロール紙ステアリング装置の組付け方法。
【発明の詳細な説明】
【技術分野】
【０００１】
本発明は、ロール紙ステアリング装置とロール紙ステアリング装置を備えた印刷装置及びロール紙ステアリング装置を本体フレームに組み付けるロール紙ステアリング装置の組付け方法に関する。
【背景技術】
【０００２】
ロール紙ステアリング装置及びそれを備える印刷装置の従来文献として特許文献１がある。この特許文献１には、記録媒体の端部の位置に応じてロール紙保持部を軸方向に移動することで、即ちステアリングすることで、搬送される記録媒体の蛇行を補正する技術が記載されている。
【先行技術文献】
【特許文献】
【０００３】
【特許文献１】特開２０１５−５４７８２号公報
【発明の概要】
【発明が解決しようとする課題】
【０００４】
前記ロール紙保持部は、ロール紙を直接支持する部分となるロール軸は、その基端部が軸受け部により回転可能に軸支され、その先端部がロール紙側に突出している。ロール紙が前記ロール紙保持部に保持された状態では、ロール紙の重量は前記ロール軸の前記軸受部より先端側の部分にかかる。そのため、ロール紙の重量によって前記ロール軸は前記軸受部を基点にして下方に変形し、前記ロール軸の水平精度が低下する虞がある。  
前記ロール紙の重量による前記ロール軸の変形を考慮して、その変形が相殺されるように前記ロール紙保持部を少し傾斜させて取付対象部材に取り付ける場合がある。前記ロール紙保持部をステアリングする駆動機構は、モーターで回転するボールねじ等の雄ねじを有する、そして、この雄ねじの軸方向はリニアガイドレールと平行となる配置に構成される。  
しかし、前記のように、前記ロール紙保持部を少し傾斜させて取付対象部材に取り付けると、前記雄ねじの軸方向がリニアガイドレールの方向に対してズレが生じ、前記平行から外れることになる。その結果、前記蛇行の補正精度が低下する問題が生じる。  
特許文献１では、上記ズレによる問題については記載も示唆もない。
【課題を解決するための手段】
【０００５】
上記課題を解決するための本発明は、本体フレームに固定されるリニアガイドレールと、前記リニアガイドレールにガイドされて移動可能に支持され、鉛直方向で且つ前記リニアガイドレールに沿って揺動可能であり、ロール軸を有するロール紙保持部が取り付けられる保持軸固定部材と、モーターと前記モーターにより回転する雄ねじ部を保持し、前記保持軸固定部材に位置調整可能に取り付けられる可動部材と、前記雄ねじ部が嵌る雌ねじ部を有し、前記雄ねじ部の軸が前記リニアガイドレールと平行となる姿勢で前記本体フレームに固定されるナット部材と、前記保持軸固定部材を前記ロール軸の先端が上方となる傾きに揺動させて前記本体フレームに対する姿勢を調整する第１調整部と、前記可動部材の前記保持軸固定部材に対する取付け位置を調節する第２調整部と、を備えることを特徴とする。
【図面の簡単な説明】
【０００６】
【図１】本発明の実施形態に係る印刷装置の全体構成の概略を模式的に表す側断面図。
【図２】本発明の実施形態に係るロール紙ステアリング装置を表す斜視図。
【図３】本発明の実施形態に係るロール紙ステアリング装置の第１調整部と揺動支点部を含んだ第1の要部を拡大して表す斜視図。
【図４】本発明の実施形態に係るロール紙ステアリング装置の第１調整部を更に拡大して表す斜視図。
【図５】本発明の実施形態に係るロール紙ステアリング装置のリニアガイドレールと雄ねじ部が平行になる姿勢を表す正面図。
【図６】本発明の実施形態に係るロール紙ステアリング装置の第２調整部を含んだ第２の要部を拡大して表す斜視図。
【図７】本発明の実施形態に係るロール紙ステアリング装置の第２調整部を含んだ第２の要部を拡大して表す図６中のＡ−Ａ断面図。
【図８】本発明の実施形態に係るロール紙ステアリング装置の主要な構成部材を抽出して表す斜視図。
【発明を実施するための形態】
【０００７】
最初に、本発明について概略的に説明する。  
上記課題を解決するための本発明の第１の態様のロール紙ステアリング装置は、本体フレームに固定されるガイドレールと、前記ガイドレールに沿って移動可能に前記ガイドレールに係合されたガイドと、前記ガイドを介して前記ガイドレールに支持された保持軸固定部材と、ロール軸を有し、前記保持軸固定部材に取り付けられたロール紙保持部と、モーターと前記モーターにより回転する雄ねじ部を保持し、前記保持軸固定部材に位置調整可能に取り付けられる可動部材と、前記雄ねじ部が嵌る雌ねじ部を有し、前記雄ねじ部の軸が前記ガイドレールと平行となる姿勢で前記本体フレームに固定されるナット部材と、前記保持軸固定部材を前記ロール軸の先端が上方となる傾きに揺動させて、前記本体フレームに対する前記保持軸固定部材の姿勢を調整する第１調整部と、前記可動部材の前記保持軸固定部材に対する取付け位置を調節する第２調整部と、を備えることを特徴とする。
【０００８】
ここで、「ロール紙保持部」等で使用している「ロール紙」とは、長尺なシート状の材料がロール状に巻かれたものを意味する代表として一般的に広く使用されている「ロール紙」の語を用いたもので、「ロール紙」の材料としては「紙」の他、「樹脂フィルム」や「布帛」等のクロス材料も含まれる。  
本態様によれば、前記可動部材の前記保持軸固定部材に対する取付け位置が調節可能であるので、ロール紙保持部を少し傾斜させて取付対象部材に取り付けることで、ステアリングの駆動機構を構成する雄ねじとガイドレールとの平行にズレが生じても、このズレを容易に補正することができる。
【０００９】
本発明の第２の態様のロール紙ステアリング装置は、第１の態様において、前記第２調整部は、前記可動部材に形成される被当接部と、前記保持軸固定部材に設けられる孔に挿入され、前記被当接部に当接することで前記可動部材の前記保持軸固定部材に対する取付け位置を調節する調整用雄ねじと、を備えることを特徴とする。
【００１０】
本態様によれば、前記被当接部と調整用雄ねじとの組み合わせによって構成することで、前記第２調整部を構造簡単に実現することができる。
【００１１】
本発明の第３の態様のロール紙ステアリング装置は、第１の態様又は第２の態様において、前記第１調整部は、前記保持軸固定部材に設けられる揺動支点部を備え、前記揺動支点部を中心として前記保持軸固定部材を揺動させて前記本体フレームに対する前記保持軸固定部材の姿勢を調整する、ことを特徴とする。
【００１２】
本態様によれば、第１調整部を構造簡単に実現することができる。
【００１３】
本発明の第４の態様の印刷装置は、ロール軸にセットされたロール紙を搬送部に向けて繰り出す繰出し部と、搬送部により搬送されるロール紙に液体を吐出して画像を形成する吐出部とを有し、前記繰出し部には、前記第１の態様から第３の態様のいずれか一つの態様のロール紙ステアリング装置が備えられていることを特徴とする。
【００１４】
本態様によれば、ロール紙ステアリング装置を備える印刷装置において、第１の態様から第３の態様のいずれか一つの態様の効果を得ることができる。
【００１５】
本発明の第５の態様のロール紙ステアリング装置の組付け方法は、第１の態様から第３の態様のいずれか一つの態様のロール紙ステアリング装置を、取付け位置と取付け角度を調整した状態で本体フレームに組み付けるロール紙ステアリング装置の組付け方法であって、前記第１調整部を使用して前記ロール軸の取付け角度を調整した状態で前記ガイドを前記保持軸固定部材に固定する第１調整組付け工程と、前記第２調整部を使用してステアリングを実行する前記雄ねじ部の軸線と前記ガイドレールの軸線とを平行にした状態で前記可動部材を前記保持軸固定部材に固定する第２調整組付け工程と、を備え、前記第１調整組付け工程において、前記保持軸固定部材が前記ガイドを介して前記ガイドレールにガイドされた姿勢で前記ガイドを所定の取付け角度で前記保持軸固定部材に固定した後に、前記第２調整組付け工程において前記雄ねじ部を前記ガイドレールと平行になる姿勢に調整して前記可動部材を所定の取付け位置で前記保持軸固定部材に固定するようにしたことを特徴とする。
【００１６】
本態様によれば、ロール軸の取付け角度の調整と、雄ねじ部の軸線とリニアガイドレールの軸線を平行にする可動部材の取付け位置の調整と、を簡便に実行して、ロール紙ステアリング装置の高精度の組み付けを円滑に実行することが可能になる。
【００１７】
続いて、図面に基づいて本発明の実施形態に係るロール紙ステアリング装置の構成と、本発明の実施形態に係る印刷装置の構成と、同ロール紙ステアリング装置の組付け方法の内容と、について図面を参照しながら詳細に説明する。  
尚、以下の説明では、最初に図１に基づいて本実施形態の印刷装置の全体構成の概略について説明する。次に、図２〜図８に基づいて本実施形態の要部となるロール紙ステアリング装置の構成を具体的に説明する。
【００１８】
次に、同じく図２〜図８に基づいて本実施形態の要部となるロール紙ステアリング装置の組付け方法の内容を、その組み付けの手順に従って具体的に説明する。  
次に、このようにして構成される本実施形態のロール紙ステアリング装置、印刷装置及びロール紙ステアリング装置の組付け方法の作用、効果に言及し、最後に、他の実施形態について簡単に説明する。
【００１９】
［実施形態］
（１）印刷装置の全体構成の概略（図１参照）
本実施形態の印刷装置１は、ロール軸３２にセットされたロール紙Ｒを搬送部４１に向けて繰り出す繰出し部３１と、搬送部４１により搬送されるロール紙Ｒに液体を吐出して画像を形成する吐出部１１と、を有することによって構成されている。  
そして、繰出し部３１には、後述するロール紙ステアリング装置１５が設けられている。
【００２０】
また、図示の印刷装置１は、円筒体３と、回転軸５と、円筒体３の内面３ａと回転軸５とを繋ぎ周方向Ｃに間隔Ｓを空けて存在する複数のアーム部７と、を備える回転ドラム９を備えている。  
また、ロール紙Ｒの搬送方向Ａの上流に繰出し部３１が設けられており、繰出し部３１のロール軸３２に取り付けられたロール状のロール紙Ｒから繰り出されるシート状のロール紙Ｒを回転ドラム９の円筒体３の外面３ｂに対して所定の巻付け角で巻き付けることによってロール紙Ｒを支持している。
【００２１】
また、回転ドラム９の円筒体３の外面３ｂに巻き付けられて支持されているロール紙Ｒに対して吐出部の一例である吐出ヘッド１１から液体の一例である各色のＵＶインクを吐出後、硬化部の一例であるＵＶ照射器１３からＵＶ光を照射し、ロール紙Ｒの表面に吐出したＵＶインクの硬化を行っている。  
更に、ＵＶインクがロール紙Ｒの表面に吐出され、硬化されたロール紙Ｒは、搬送方向Ａの下流の巻取り部３３に達して、そのロール軸３４によって順次巻き取られて行く。以下、ロール紙Ｒは、ロール・ツー・ロールの搬送方式で連続的に搬送されながら吐出ヘッド１１から吐出されるＵＶインクによって所望の画像が印刷されて行く。
【００２２】
また、ロール紙Ｒの搬送経路３５の途中には、一例として従動ローラーによって構成されるガイドローラー３７、３８及び巻付けローラー３９、４０と、駆動ローラーと従動ローラーによって構成される一対のニップローラーから成る搬送部である搬送ローラー４１と排出ローラー４３とが配置されている。  
そして、本実施形態のロール紙ステアリング装置１５は、繰出し部３１におけるロール軸３２の支持部材として、印刷装置１の本体フレーム２に対してロール紙の幅方向Ｂをステアリング方向として所定ストロークの範囲で往復移動することで、繰出し部３１から繰り出されるロール紙Ｒの蛇行補正を高精度に実行できるように構成されている。
【００２３】
（２）ロール紙ステアリング装置の具体的構成（図２〜図８参照）
次に、このような印刷装置１の繰出し部３１に適用される本実施形態のロール紙ステアリング装置１５の構成について具体的に説明する。  
このロール紙ステアリング装置１５は、本体フレーム２（図７参照）に固定されるリニアガイドレール１７と、リニアガイドレール１７に沿ってステアリング方向に移動可能にリニアガイドレール１７に係合されたリニアガイド１９Ａ、１９Ｂと、リニアガイド１９Ａ、１９Ｂを介してリニアガイドレール１７に支持された保持軸固定部材２３と、ロール軸３２を有し、保持軸固定部材２３に取り付けられたロール紙保持部２１と、モーターＭ１とモーターＭ１により回転する雄ねじ部２５を保持し、保持軸固定部材２３に位置調整可能に取り付けられる可動部材２７と、雄ねじ部２５が嵌る雌ねじ部２９を有する。更に、雄ねじ部２５の軸Ｌ１がリニアガイドレール１７と平行となる姿勢で、ブラケット６１を介して本体フレーム２に固定されるナット部材３０と、保持軸固定部材２３をロール軸３２の先端３２ａが上方となる傾きに揺動させて本体フレーム２に対する姿勢を調整する第１調整部４５と、可動部材２７の保持軸固定部材２３に対する取付け位置を調節する第２調整部４７と、を備える。
【００２４】
リニアガイドレール１７は、上面と下面に溝部１８が形成された角棒状の部材で、ステアリング方向となる幅方向Ｂに沿うように本体フレーム２に固定されている。  
また、リニアガイドレール１７には、一例として２基のリニアガイド１９Ａ、１９Ｂが、内側に対向するように突出している爪部２０をリニアガイドレール１７の溝部１８に係合させた状態で取り付けられている。
【００２５】
また、２基のリニアガイド１９Ａ、１９Ｂは、後述する第１調整部４５による取付け角度の調整後、保持軸固定部材となる保持軸固定板２３の表面にねじ固定されている。  
保持軸固定板２３は、図２に表すように、２つの窓部４９Ａ、４９Ｂが形成された厚肉の略矩形平板状の部材で、鉛直方向Ｚに沿う垂直姿勢で設けられている。そして、保持軸固定板２３の上端近傍の左右に、図２、図３及び図５に表すように、２基のリニアガイド１９Ａ、１９Ｂが取り付けられている。  
また、保持軸固定板２３の裏面には、２組の軸受部５１Ａ、５１Ｂを介してロール軸３２が水平に支持されている。尚、ロール軸３２の基端部には、ロール紙Ｒを繰出すための駆動力を付与するモーターＭ２が直接設けられており、ロール軸３２と、２基の軸受部５１Ａ、５１Ｂと、モーターＭ２と、を備えることによってロール紙保持部２１が構成されている。
【００２６】
また、保持軸固定板２３に対して設けられている２つの窓部４９Ａ、４９Ｂのうち口径の大きな窓部４９Ｂは、ロール紙保持部２１のモーターＭ２との干渉を回避するために設けられている。  
一方、保持軸固定板２３に対して設けられている２つの窓部４９Ａ、４９Ｂのうち口径の小さな正方形状の窓部４９Ａの前面には、ステアリング動作を実行するための駆動力を付与するモーターＭ１が配置されている。尚、モーターＭ１は、次に述べる可動板２７の端部を前方に折り曲げることによって形成されている取付けブラケット５３によって水平姿勢で取り付けられている。
【００２７】
可動部材となる可動板２７は、幅方向Ｂに長い薄肉の略矩形平板状の部材である。可動板２７の取付けブラケット５３寄りの前面にはブロック状の軸受部５５が取り付けられていて、雄ねじ部の一例であるボールねじ２５の基端部を軸受部５５によって片持ち梁状態に支持している。  
ボールねじ２５の基端部には、カップリング５９が接続されていて、同じくカップリング５９に接続されているモーターＭ１の出力軸５７（図５参照）から動力が伝達されてボールねじ２５は、正転方向と逆転方向に回転できるように構成されている。
【００２８】
また、ボールねじ２５には、ブラケット６１を介して本体フレーム２に固定されるナット部材３０の雌ねじ部２９が螺合している。ボールねじ２５が回転すると、ボールねじ２５は回転しながらモーターＭ１と可動板２７と一体になって幅方向Ｂに往復し得るように構成されている。尚、ナット部材３０は、本体フレーム２に固定されているので、回転することなく、そのままの位置に留まっている。  
また、可動板２７には、リニアガイドレール１７との間隔Ｔ（図５参照）を平行に保つために幅方向Ｂに離間配置されている２つの度当て規制部６３Ａ、６３Ｂが設けられている。そして、本実施形態では可動板２７の上端縁から下方にかけて形成されている所定深さの２つの凹部６５Ａ、６５Ｂの底面が度当て規制部６３Ａ、６３Ｂになっている。
【００２９】
また、可動板２７の保持軸固定板２３に対する取付け位置は、鉛直方向Ｚと幅方向Ｂに所定の量、調節できるように遊びが設けられており、その遊びの範囲で可動板２７の取付け位置を調節後、固定ねじ６７を使用して、可動板２７を保持軸固定板２３に固定するように構成されている。  
また、リニアガイド１９Ａ、１９Ｂの保持軸固定板２３に対する取付け位置も、鉛直方向Ｚと幅方向Ｂとに所定の量、調整できるように遊びが設けられている。そして、次に説明する第１調整部４５を調整することによって左右のリニアガイド１９Ａ、１９Ｂの相対位置が変わって、保持軸固定板２３が揺動支点部Ｏを中心にして揺動することで、ロール軸３２の取付け角度を先端３２ａが所定量上を向く上向きの角度に設定できるように構成されている。
【００３０】
第１調整部４５は、一例として、保持軸固定板２３の左端寄りの上部に設けられる揺動支点部Ｏと、一例として、保持軸固定板２３の右端寄りの上部に設けられる調整操作部６８と、を備えることによって構成されている。  
そして、調整操作部６８を操作することによって保持軸固定板２３が揺動支点部Ｏを中心に揺動することで、保持軸固定板２３に固定されているロール軸３２の先端３２ａが上方となる傾きに調整できるようになっている。
【００３１】
また、調整操作部６８は、保持軸固定板２３の背面に固定される背面板６９ａと前方に庇状に折り曲げられた上面板６９ｂとを有する断面Ｌ字状の調整基板６９と、上面板６９ｂの下面に設けられているナット部７１と、ナット部７１に螺合する調整ねじ７３と、を備えることによって構成されている。  
そして、調整ねじ７３の下端面が向かって右側のリニアガイド１９Ｂの上面に当接しており、この状態で調整ねじ７３を正転方向又は逆転方向に回すことによってナット部７１の下方に突出している調整ねじ７３の突出部の突出長さが変わって、その突出長さの長短によって保持軸固定板２３が揺動支点部Ｏを中心にして所定の角度、揺動してロール軸３２の取付け角度を所望の角度に調整できるように構成されている。
【００３２】
第２調整部４７は、可動板２７に形成される位置調整用の被当接部７５と、保持軸固定板２３に設けられる孔７７（図６参照）に挿入され、被当接部７５に当接することで可動板２７の保持軸固定板２３に対する取付け位置を調節する調整用雄ねじ７９と、を備えることによって構成されている。  
被当接部７５は、可動板２７の左右の下端部から斜め前方の下部に向けて突出するように設けられている２枚の傾斜した被当接板７５Ａ、７５Ｂによって構成されている。調整用雄ねじ７９は２本設けられており、孔７７の内壁に形成された雌ねじ部に螺合している。そして、保持軸固定板２３の表面側に２本の調整用雄ねじ７９を突出させて、その先端７９ａを被当接板７５Ａ、７５Ｂの傾斜した裏面７５ａに当接させる。これにより、２枚の被当接板７５Ａ、７５Ｂは個別に所定ストローク上方に押し上げられるようになって可動板２７の保持軸固定板２３に対する取付け位置が調整できるように構成されている。
【００３３】
（３）ロール紙ステアリング装置の組付け方法の内容（図２〜図８参照）
次に、このようにして構成される本実施形態のロール紙ステアリング装置１５の取付け位置と取付け角度を調整して、本実施形態の印刷装置１の本体フレーム２に組み付けるロール紙ステアリング装置の組付け方法の内容を組み付けの工程の順に従って具体的に説明する。  
本実施形態のロール紙ステアリング装置の組付け方法は、ロール軸３２の取付け角度を調整する第１調整組付け工程Ｐ１と、可動板２７の取付け位置を調節する第２調整組付け工程Ｐ２と、を備えることによって構成されている。第１調整組付け工程Ｐ１は、保持軸固定板２３がリニアガイド１９Ａ、１９Ｂを介してリニアガイドレール１７にガイドされた姿勢でリニアガイド１９Ａ、１９Ｂを所定の取付け角度で保持軸固定板２３に固定する工程であり、第１調整組付け工程Ｐ１の後に、第２調整組付け工程Ｐ２において、ボールねじ２５をリニアガイドレール１７と平行になる姿勢に調整して可動板２７を所定の取付け位置で保持軸固定板２３に固定するように構成されている。
【００３４】
（Ａ）第１調整組付け工程（図２〜図５参照）
第１調整組付け工程Ｐ１は、第１調整部４５を使用してロール軸３２の取付け角度を調整した状態でリニアガイド１９Ａ、１９Ｂを保持軸固定板２３に固定する工程である。  
具体的には、リニアガイド１９Ａ、１９Ｂを保持軸固定板２３に固定する固定ねじ８１（図８参照）を予め緩めておき、その取付け位置を自由に調整できる状態にしておく。この状態で調整ねじ７３を逆転方向に回して行くと、ナット部７１の下方に突出している部分の調整ねじ７３の下端面が向かって右側のリニアガイド１９Ｂの上面から離間する方向へ移動する。ここで保持軸固定板２３の右側であってリニアガイド１９Ｂの下方には重量の大きいモーターＭ２が固定されており、保持軸固定板２３がリニアガイド１９Ａ、１９Ｂに固定されていない状態では、揺動支点部Ｏを中心にして、図５中における、時計回りに回転しようとする力が働いているため、調整ねじ７３の下端面がリニアガイド１９Ｂの上面から離間する方向へ移動すると、その移動距離分だけ保持軸固定板２３が調整ねじ７３の移動に追随して時計回りに回転する。
【００３５】
これにより、保持軸固定板２３に軸受部５１Ａ、５１Ｂを介して固定されているロール軸３２は、先端３２ａを幾分上方にした傾斜姿勢に移行する。そして、調整ねじ７３の締付け具合を調整してロール軸３２の取付け角度が所定の角度になったところで、固定ねじ８１を締め付けてリニアガイド１９Ａ、１９Ｂを保持軸固定板２３に固定する。
【００３６】
（Ｂ）第２調整組付け工程（図６〜図８参照）
第２調整組付け工程Ｐ２は、第２調整部４７を使用してステアリングを実行するボールねじ２５の軸線Ｌ１とリニアガイドレール１７の軸線Ｌ２とを平行にした状態で可動板２７を保持軸固定板２３に固定する工程である。  
具体的には、可動板２７を保持軸固定板２３に固定するための固定ねじ６７を予め緩めておき、可動板２７の取付け位置を自由に調節できる状態にしておく。次に、可動板２７の上部に形成されている２つの凹部６５Ａ、６５Ｂに対向するリニアガイドレール１７の下面に一例として厚肉の矩形平板状の調整用冶具８３Ａ、８３Ｂの上端部をあてがい、調整用冶具８３Ａ、８３Ｂの前面の上下に２本ずつ設けられている位置決めピン８５を本体フレーム２側に設けられている位置決め穴８７（図７参照）に挿入して調整用冶具８３の位置決めを行う。
【００３７】
このような準備作業の終了後、調整用雄ねじ７９の先端７９ａを可動板２７と一体の被当接板７５の傾斜した裏面７５ａに当接させる。  
調整用雄ねじ７９を更に締め付けて行くと、被当接板７５には上向きの力が作用するようになって被当接板７５と一体の可動板２７を所定の距離、上方に移動させることが可能になる。
【００３８】
可動板２７の２つの凹部６５Ａ、６５Ｂにおける底面の度当て規制部６３Ａ、６３Ｂが、２つの調整用冶具８３Ａ、８３Ｂの下端部に当接すると、可動板２７はそれ以上の上方への移動が規制される。この状態で固定ねじ６７を締め付けて、可動板２７を保持軸固定板２３に固定する。  
可動板２７の固定の完了後、調整用冶具８３Ａ、８３Ｂを保持軸固定板２３の裏面後方に引き抜いて取り外せば、ロール紙ステアリング装置１５の一連の組付け作業が完了する。尚、図１から図５においては、調整用冶具８３Ａ、８３Ｂを保持軸固定板２３の裏面後方に引き抜いて取り外せる構造部分の図示は省かれている。
【００３９】
そして、このように構成される本実施形態によるロール紙ステアリング装置１５によれば、ロール軸３２の先端３２ａを幾分上方に偏倚させた状態にすることができるので、重量の重いロール紙Ｒをロール軸３２に取り付けてセットした状態においてもロール軸３２の水平状態が保たれるようになる。また、ボールねじ２５の軸線Ｌ１とリニアガイドレール１７の軸線Ｌ２が平行に保たれるため、ボールねじ２５の回転によって実行されるステアリング動作が円滑になって高精度のステアリング動作が実行できるようになる。  
また、このようにして構成される本実施形態の印刷装置１によれば、ロール紙ステアリング装置１５による円滑で高精度のステアリング動作により、繰出し部３１から繰り出されるロール紙Ｒの蛇行が高精度に補正された状態でロール紙Ｒが搬送されるようになるため、ロール紙Ｒに印刷される画像品質の向上が図られるようになる。また、ロール紙Ｒの蛇行に起因して生ずるロール紙Ｒの詰まり等の搬送トラブルを低減することが可能になる。
【００４０】
また、このようにして構成される本実施形態によるロール紙ステアリング装置の組付け方法によれば、ロール軸３２の取付け角度の調整と、ボールねじ２５の軸線Ｌ１とリニアガイドレール１７の軸線Ｌ２を平行にする可動板２７の取付け位置の調節と、を簡便に実行して、ロール紙ステアリング装置１５の高精度の組み付けを円滑に実行することが可能になる。
【００４１】
［他の実施形態］
本発明に係るロール紙ステアリング装置１５、印刷装置１及びロール紙ステアリング装置の組付け方法は、以上述べたような構成と内容を有することを基本とするものであるが、本願発明の要旨を逸脱しない範囲内での部分的構成の変更や省略等を行うことも勿論可能である。
【００４２】
例えば、本発明のロール紙ステアリング装置１５は、印刷装置１の繰出し部３１だけでなく巻取り部３３に対して適用することも可能である。また、本発明のロール紙ステアリング装置１５は、印刷装置１に限らず、軸の調整作業を行っている他の部位や他の装置に適用することも可能である。  
また、ロール紙保持部２１における雄ねじ部２５は、ボールねじ２５に限らず、台形ねじ等の他の構造のねじを使用したものであってもよいし、保持軸固定部材２３と可動部材２７は、必ずしも板状のものに限らず、ブロック状のものやフレーム構造を採用したもの等、他の構造のものであっても構わない。
【００４３】
また、第１調整部４５で採用した調整ねじ７３は、１つのリニアガイド１９に対して１つ設ける他、複数本、例えば２本設けることが可能である。因みに、調整ねじ７３を離間した位置に２本設けた場合には、リニアガイド１９に傾きが生じていた場合に、その傾きが修正されて、リニアガイド１９のリニアガイドレール１７に対する当接面がリニアガイドレール１７と平行になって、リニアガイドレール１７の保持が一層、確実になる。  
また、可動板２７のステアリング方向の動きに支障がないことが条件になるが、可動板２７自体にリニアガイドレール１７の一部に当接する突起部等を設けておき、その突起部の先端がリニアガイドレール１７に当接した位置で可動板２７を保持軸固定板２３に固定することが可能である。そして、このようにした場合には第２調整組付け工程Ｐ２において調整用冶具８３の使用を省略することが可能になる。
【符号の説明】
【００４４】
１…印刷装置、２…本体フレーム、３…円筒体、３ａ…内面、３ｂ…外面、
５…回転軸、７…アーム部、９…回転ドラム、１１…吐出ヘッド、吐出部、
１３…ＵＶ照射器、硬化部、１５…ロール紙ステアリング装置、
１７…リニアガイドレール、１８…溝部、１９…リニアガイド、２０…爪部、
２１…ロール紙保持部、２３…保持軸固定板、保持軸固定部材、
２５…ボールねじ、雄ねじ部、２７…可動板、可動部材、２９…雌ねじ部、
３０…ナット部材、３１…繰出し部、３２…ロール軸、３２ａ…先端、
３３…巻取り部、３４…ロール軸、３５…搬送経路、３７…ガイドローラー、
３８…ガイドローラー、３９…巻付けローラー、４０…巻付けローラー、
４１…搬送ローラー、搬送部、４３…排出ローラー、４５…第１調整部、
４７…第２調整部、４９…窓部、５１…軸受部、５３…取付けブラケット、
５５…軸受部、５７…出力軸、５９…カップリング、６１…ブラケット、
６３…度当て規制部、６５…凹部、６７…固定ねじ、６８…調整操作部、
６９…調整基板、６９ａ…背面板、６９ｂ…上面板、７１…ナット部、
７３…調整ねじ、７５…被当接板、被当接部、７５ａ…裏面、７７…孔、
７９…調整用雄ねじ、７９ａ…先端、８１…固定ねじ、８３…調整用冶具、
８５…位置決めピン、８７…位置決め穴、
Ａ…搬送方向、Ｂ…幅方向、Ｃ…周方向、Ｒ…ロール紙、Ｓ…間隔、Ｚ…鉛直方向、
Ｍ１…モーター、Ｍ２…モーター、Ｌ１…軸線、軸、Ｌ２…軸線、Ｔ…間隔、
Ｏ…揺動支点部、Ｐ１…第１調整組付け工程、Ｐ２…第２調整組付け工程
【図１】
2020138814.tif 000003
【図２】
2020138814.tif 000004
【図３】
2020138814.tif 000005
【図４】
2020138814.tif 000006
【図５】
2020138814.tif 000007
【図６】
2020138814.tif 000008
【図７】
2020138814.tif 000009
【図８】
2020138814.tif 000010